(57)【要約】【課題】シンプルな構成で比較的低廉にて供給できて手軽に利用でき、タバコの吸い殻だけでなく、使用済みおむつや廃棄食料等の廃棄物を、残渣を出すことなく溶解処理できる廃棄物処理装置を提供することを課題とする。【解決手段】廃棄物の投入口２を有するドラム１を設け、ドラム１の内壁３間に、複数の攪拌軸５を、取り付け角度を変え且つ取り付け位置をずらして取り付けた駆動軸４を渡し、ドラム１内に、適量のセラミックボール６とリモネン溶剤７を充填して成る。  【選択図】図１
2011011185.tif 000002
【特許請求の範囲】
【請求項１】
処理物の投入口を有するドラムを設け、前記ドラムの内壁間に、複数の攪拌軸を、取り付け角度を変え且つ取り付け位置をずらして取り付けた駆動軸を渡し、前記ドラム内に、適量のセラミックボールとリモネン溶剤を充填して成る廃棄物処理装置。
【請求項２】
前記攪拌軸の先端部に攪拌羽根が、回転自在に取り付けられている、請求項１に記載の廃棄物処理装置。
【請求項３】
前記攪拌羽根が、前記攪拌軸の軸方向に可動に取り付けられている、請求項２に記載の廃棄物処理装置。
【請求項４】
前記攪拌軸に、前記攪拌羽根を先端側に付勢するスプリングが纏装されている、請求項２又は３に記載の廃棄物処理装置。
【請求項５】
前記ドラムの内壁に近接する位置に配置される前記攪拌羽根は、先端側が幅狭に形成されている、請求項１乃至４のいずれかに記載の廃棄物処理装置。
【請求項６】
前記ドラムに加温手段が配備されている、請求項１乃至５のいずれかに記載の廃棄物処理装置。
【発明の詳細な説明】
【技術分野】
【０００１】
本発明は廃棄物処理装置、より詳細には、タバコの吸い殻、使用済みおむつ、廃棄食料等の廃棄物を溶解処理する廃棄物処理装置に関するものである。
【背景技術】
【０００２】
例えば、タバコの吸い殻の処理装置として、特開２００１−３１２０４号公報（特許文献１）に記載のものがあるが、それは、投入された吸い殻を一対のベルトで挟圧して消火するものであって、吸い殻を無害化処理するものではない。
【０００３】
また、特開２００３−３０４８５７号公報（特許文献２）に記載のタバコ用灰皿は、吸い殻を、回転羽根を備えた攪拌容器内に投入して容器内の発酵菌が付着した菌床と攪拌混合することにより、容器内で分解処理するものである。この装置の場合は、発酵菌による分解作用を促進するために、吸い殻と菌床とを十分に攪拌混合する必要があるが、そこにおける回転羽根は単なる板材であって、吸い殻と菌床とを十分に攪拌混合するための工夫は示されておらず、また、分解処理残渣が生ずる問題がある。
【０００４】
更に、特開２００５−１１８６４６号公報（特許文献３）に記載の吸い殻回収・分解装
置や、特開２００９−１１９３９７号公報（特許文献４）に記載のタバコの吸殻の分解処理装置等が提案されているが、これらの装置は機構が複雑であって導入コスト及び維持コストが嵩むため、一般に手軽に利用し得るものではない。
【先行技術文献】
【特許文献】
【０００５】
【特許文献１】特開２００１−３１２０４号公報
【特許文献２】特開２００３−３０４８５７号公報
【特許文献３】特開２００５−１１８６４６号
【特許文献４】特開２００９−１１９３９７号
【発明の概要】
【発明が解決しようとする課題】
【０００６】
上述したように、従来提案されているタバコの吸い殻処理装置は、残渣を出すことなく十分に処理することができないとか、機構が複雑でコストが嵩み、手軽に利用することができないとかいった問題があったので、本発明はそのような問題のない、即ち、シンプルな構成で比較的低廉にて供給できて手軽に利用でき、タバコの吸い殻だけでなく、使用済みおむつや廃棄食料等の廃棄物を、残渣を出すことなく溶解処理できる廃棄物処理装置を提供することを課題とする。
【課題を解決するための手段】
【０００７】
上記課題を解決するための請求項１に記載の発明は、廃棄物の投入口を有するドラムを設け、前記ドラムの内壁間に、複数の攪拌軸を、取り付け角度を変え且つ取り付け位置をずらして取り付けた駆動軸を渡し、前記ドラム内に、適量のセラミックボールとリモネン溶剤を充填して成る廃棄物処理装置である。
【０００８】
好ましい実施形態においては、前記攪拌軸の先端部に攪拌羽根が、回転自在に取り付けられ、また、前記攪拌羽根は、前記攪拌軸の軸方向に可動に取り付けられる。
【０００９】
また、好ましい実施形態においては、前記攪拌軸に、前記攪拌羽根を先端側に付勢するスプリングが纏装され、前記ドラムの内壁に近接する位置に配置される前記攪拌羽根は、先端側が幅狭に形成され、更に、前記ドラムに加熱手段が配備される。
【発明の効果】
【００１０】
上述したように本発明に係る廃棄物処理装置は、処理物の投入口を有するドラムの内壁間に、複数の攪拌軸を、取り付け角度を変えて且つ取り付け位置をずらして取り付けた駆動軸を渡し、前記ドラム内に、適量のセラミックボールとリモネン溶剤を充填して成るので、非常にシンプルな構成であり、しかも、投入された廃棄物は、セラミックボールとリモネン溶剤に混ざりつつ攪拌軸に攪拌されて次第に溶解されるので、タバコの吸い殻、使用済みおむつ、廃棄食料等の処理に困る廃棄物を、手を下すことなく自動的且つ衛生的に溶解処理し得る効果がある。
【図面の簡単な説明】
【００１１】
【図１】本発明に係る廃棄物処理装置の構成例を示す破断斜視図である。
【図２】本発明に係る廃棄物処理装置の構成例を示す縦断面図である。
【図３】本発明に係る廃棄物処理装置における攪拌機構の構成例を示す斜視図である。
【図４】本発明に係る廃棄物処理装置における攪拌軸の構成例を示す部分断面図である。
【発明を実施するための形態】
【００１２】
以下に、本発明を実施するための形態について、図面に依拠して説明する。図１は、本発明に係る廃棄物処理装置の構成を示す斜視図で、本装置は、処理物の投入口２を有するドラム１と、ドラム１の内壁３間に渡される攪拌軸５を複数備えた駆動軸４と、ドラム１内に適量充填されるセラミックボール６及びリモネン溶剤７とで構成される。
【００１３】
ドラム１は内底面８が断面半円形を呈していて、好ましい実施形態においては、その外底面に沿ってヒーター９等の加熱手段が設置される。
【００１４】
先端部がドラム１の内底面８に沿って回転移動することになる攪拌軸５は、取り付け角度を変えて且つ取り付け位置をずらして複数、駆動軸４に取り付けられる。図示した実施形態においては、１２０度間隔で３本の攪拌軸５が取り付けられている。駆動軸４はその両端がドラム１の内壁３において軸支され、一端部がドラム１外に出されて、駆動手段に連結される。駆動手段は通例減速モーターであるが、本装置の設置場所によっては、風力（風車）や水力（水車）を利用して駆動することも可能である。
【００１５】
好ましい実施形態においては、攪拌軸５の先端部に攪拌羽根１０が、回転自在に、且つ、攪拌軸５の軸方向に可動に取り付けられる。かかる構成とするために攪拌羽根１０は、筒体１１の周面に、例えば、４枚の羽根１２を取り付けて形成され、その筒体１１が、攪拌軸５の先端部に緩く嵌め付けられる。そして、攪拌軸５に、筒体１１、換言すれば、攪拌羽根１０を常時先端側に付勢するように作用するスプリング１３が纏装される。
【００１６】
駆動軸４の両端部の、ドラム１の内壁３に近接する位置に配置される攪拌羽根１０は、先端側が幅狭にされて、セラミックボール６の逃げ部１４が形成される。この逃げ部１４は、攪拌羽根１０が駆動軸４を軸として公転する際にそこからセラミックボール６を逃がすことにより、内壁３及び内底面８との間にセラミックボール６を詰まらせることを防止するために設けられるものである。
【００１７】
また、攪拌軸５に対して攪拌羽根１０を回転自在に、且つ、攪拌軸５の軸方向に可動に取り付け、スプリング１３で以て常時先端側に付勢するようにした構成も、攪拌羽根１０と内壁３及び内底面８との間にセラミックボール６が詰まることを防止するために寄与する。即ち、攪拌羽根１０と内壁３及び内底面８との間にセラミックボール６が挟まって攪拌羽根１０に負荷がかかった場合、攪拌羽根１０はその負荷を回避するように回転し、あるいは、攪拌軸５の軸方向に移動するように動作することができるのである。
【００１８】
セラミックボール６としては、通例１０〜１２ｍｍ程度のものが用いられるが、その径は均一である必要はなく、種々のサイズのものが混在していて差し支えない。
【００１９】
リモネンは、オレンジ等の柑橘類の果皮から採取される安全な溶剤で、その構造がスチレンモノマー（単量体）に似ているところから、スチロール樹脂（ポリスチレン）を溶解する性質のあるものとして知られているものである。リモネン溶剤７は、通例、セラミックボール６群が浸漬する程度充填される。
【００２０】
上記構成の本発明に係る廃棄物処理装置の作用について説明するに、先ず、減速モーターを作動させて駆動軸４を回転駆動し、各攪拌軸５で以てセラミックボール６群とリモネン溶剤７とを攪拌させる。攪拌軸５にはそれぞれ攪拌羽根１０が、回転自在且つ軸方向に移動可能に取り付けられているので、セラミックボール６とリモネン溶剤７は無理なくほぼ均一に攪拌される。駆動軸４の回転は、例えば２回転／分程度とされる。
【００２１】
上記状態において、たばこの吸い殻、使用済みおむつ、あるいは、廃棄食料等の廃棄物を投入口２からドラム１内に投入すれば、廃棄物はセラミックボール６及びリモネン溶剤７と混ざり合って攪拌され、リモネン溶剤によって次第に溶解されて消失する。
【００２２】
このように本発明に係る廃棄物処理装置においては、廃棄物は単に投入口２から投入するだけで、セラミックボール６とリモネン溶剤７に混ざりつつ攪拌軸５（攪拌羽根１０）に攪拌されて溶解処理されるので、タバコの吸い殻、使用済みおむつ、廃棄食料等の処理に困る廃棄物を、手を下すことなく自動的且つ衛生的に処理することが可能である。
【００２３】
この発明をある程度詳細にその最も好ましい実施形態について説明してきたが、この発明の精神と範囲に反することなしに広範に異なる実施形態を構成することができることは明白であり、例えば、本装置にシュレッダーの如き裁断装置を連設し、廃棄物を小さく裁断した後に投入口２から導入する構成等にすることもできるものであって、この発明は添付請求の範囲において限定した以外はその特定の実施形態に制約されるものではない。
【符号の説明】
【００２４】
１      ドラム
２      投入口
３      ドラムの内壁
４      駆動軸
５      攪拌軸
６      セラミックボール
７      リモネン溶剤
８      内底面
９      ヒーター
１０    攪拌羽根
１１    筒体    
１２    羽根
１３    スプリング
１４    逃げ部
【図１】
2011011185.tif 000003
【図２】
2011011185.tif 000004
【図３】
2011011185.tif 000005
【図４】
2011011185.tif 000006